(57)【要約】【課題】室内の壁などに排気穴を設けることなく排水処理を行うことができ、連続して除湿運転ができる除湿機の排水システムを提供する。【解決手段】除湿機１のドレンパン５と空気調和機２のドレンパンを接続する配管３を備える。上記除湿機１により生じたドレン水は、排水ポンプ６を用いてドレンパン５から配管３を介して空気調和機２のドレンパンに排出され、その空気調和機２のドレンパンからドレンホース４を介して室外に排水する。【選択図】図１
2005144289.tif 000002
【特許請求の範囲】
【請求項１】
除湿機(１)のドレンパン(５)を、空気調和機(２)のドレンパン(２３〜２５)または上記ドレンパン(２３〜２５)から排水されるドレン水の経路に配管(３)を介して接続したことを特徴とする除湿機の排水システム。
【請求項２】
請求項１に記載の除湿機の排水システムにおいて、
上記除湿機(１)のドレンパン(５)の位置が、上記空気調和機(２)のドレンパン(２３〜２５)または上記ドレンパン(２３〜２５)から排水されるドレン水の経路と上記配管(３)との接続点よりも高いことを特徴とする除湿機の排水システム。
【請求項３】
請求項１に記載の除湿機の排水システムにおいて、
上記除湿機(１)のドレンパン(５)内のドレン水を排水するための排水ポンプ(６)を備えたことを特徴とする除湿機の排水システム。
【発明の詳細な説明】
【技術分野】
【０００１】
この発明は、除湿機の排水システムに関する。
【背景技術】
【０００２】
従来、除湿機としては、吸着部で室内から除去した水分を凝縮させず、再生部から空気と共に室外に排気して、室内を連続して除湿するものがある(例えば、特開２００２−１９１９２６号公報(特許文献１)参照)。
【０００３】
ところで、上記調湿装置では、専用の排気穴が必要となるため、住宅において壁に排気穴を設けることは、ユーザーに抵抗感があるという問題がある。
【０００４】
また、水タンク式の除湿機では、水タンクが満水になると、連続運転ができなくなり、水タンク内の水を捨てなければならないという問題がある。また、水タンクを用いることなく、配管を用いて直接排水するような場合、排水設備(風呂,洗面,台所など)が限られているために実用的でないという問題がある。
【特許文献１】特開２００２−１９１９２６号公報
【発明の開示】
【発明が解決しようとする課題】
【０００５】
そこで、この発明の目的は、水タンクを用いたり配水管を通すための排気穴を設けたりすることなく排水処理を行うことができ、連続して除湿運転ができる除湿機の排水システムを提供することにある。
【課題を解決するための手段】
【０００６】
上記目的を達成するため、この発明の除湿機の排水システムは、除湿のドレンパンを、空気調和機のドレンパンまたは上記ドレンパンから排水されるドレン水の経路に配管を介して接続したことを特徴とする。
【０００７】
上記構成の除湿機の排水システムによれば、除湿機のドレンパンと空気調和機のドレンパンを接続する配管を介して除湿機のドレンパンから排水を空気調和機のドレンパン(またはドレンパンから排水されるドレン水の経路)に送ることによって、空気調和機のドレンパンを経由して室外に排水されるので、水タンクを用いたり配水管を通すための排気穴を設けたりすることなく排水処理を行うことができ、連続して除湿運転を行うことができる。
【０００８】
一実施形態の除湿機の排水システムは、上記除湿機のドレンパンの位置が、上記空気調和機のドレンパンまたは上記ドレンパンから排水されるドレン水の経路と上記配管との接続点よりも高いことを特徴とする。
【０００９】
上記実施形態の除湿機の排水システムによれば、上記除湿機のドレンパンの位置が空気調和機のドレンパン(またはドレンパンから排水されるドレン水の経路と配管との接続点)よりも高いので、ポンプを用いることなく、除湿機のドレンパンからドレン水を空気調和機のドレンパンに排出することができる。
【００１０】
一実施形態の除湿機の排水システムは、上記除湿機のドレンパン内のドレン水を排水するための排水ポンプを備えたことを特徴とする。
【００１１】
上記実施形態の除湿機の排水システムによれば、上記除湿機のドレンパン内のドレン水を排水ポンプにより排出することによって、例えば空気調和機が既に設置されて除湿機のドレンパンが空気調和機のドレンパンよりも低くなるような設置場所であっても、排水処理が可能となり、除湿機の設置場所の自由度が向上する。
【発明の効果】
【００１２】
以上より明らかなように、この発明の除湿機の排水システムによれば、除湿機のドレンパンと空気調和機のドレンパン(またはドレンパンから排水されるドレン水の経路)を接続する配管を介して除湿機のドレン排水を行うことによって、水タンクや配水管用の排気穴を設けることなく排水処理を行うことができ、連続して除湿運転可能な除湿機を、空気調和機が備えられた室内に簡単に設置することができる。
【００１３】
一実施形態の除湿機の排水システムによれば、上記除湿機のドレンパンの位置が空気調和機のドレンパン(またはドレンパンから排水されるドレン水の経路と配管との接続点)よりも高くすることによって、ポンプを用いることなく、除湿機のドレンパンからドレン水を空気調和機のドレンパンに排出することができ、コストを低減できる。
【００１４】
一実施形態の除湿機の排水システムによれば、上記除湿機のドレンパン内のドレン水を排水ポンプにより排水することによって、除湿機のドレンパンが空気調和機のドレンパンよりも低い設置場所においても除湿機の排水処理ができるので、除湿機の設置自由度を向上できる。
【発明を実施するための最良の形態】
【００１５】
以下、この発明の除湿機の排水システムを図示の実施の形態により詳細に説明する。
【００１６】
図１はこの発明の実施の一形態の除湿機の排水システムの概略を示す模式図であり、１は除湿機、２は壁掛型の空気調和機、３は上記除湿機１のドレンパン５と空気調和機２のドレンパン(図２参照)を接続する配管、４は上記空気調和機２のドレンパン(図示せず)に溜まったドレン水を排水するためのドレンホースである。上記除湿機１は、上面に設けられた吸込口１aから室内空気を吸い込んで、下面に設けられた吹出口(図示せず)から除湿空気を室内に吹き出す。上記除湿機１は、ドレンパン５内のドレン水を排出するための排水ポンプ６を備えている。また、上記空気調和機２のドレンホース４が壁１０に設けられた穴１０aに挿通されている。
【００１７】
上記構成の除湿機の排水システムにおいて、除湿機１により生じたドレン水は、ドレンパン５に溜まり、排水ポンプ６を用いてドレンパン５から配管３を介して空気調和機２のドレンパン(図２参照)に排出され、空気調和機２からドレンホース４を介して室外に排水される。
【００１８】
また、図２は上記空気調和機２の構成を示す模式図であり、図２(a)は正面図であり、図２(b)は側面図である。図２(a),(b)に示すように、空気調和機２内の上側に、逆Ｖ字形状に折曲する前面熱交換器２１,背面熱交換器２２を配置し、前面熱交換器２１の下側に前面ドレンパン２３を配置し、背面熱交換器２２の下側に背面ドレンパン２４を配置している。そして、背面熱交換器２２と背面ドレンパン２４の背面側に背面パネル２０を配置し、その背面パネル２０の裏面側に、裏面に生じた結露水を受ける裏面ドレンパン２５を設けている。上記前面ドレンパン２３と背面ドレンパン２４および裏面ドレンパン２５で受けたドレン水は、ドレンホース４を介して室外に排水される。
【００１９】
この空気調和機２に図１に示す除湿機１からの配管を接続する４つの具体例について次に説明する。
【００２０】
第１の接続方法は、図２(a),(b)に示すように、除湿機１からの配管１１を空気調和機２の上面側から挿入して、その配管１１の先端口が背面ドレンパン２５の直上に位置するように固定する。
【００２１】
また、第２の接続方法は、図２(b)に示すように、除湿機１からの配管１２を空気調和機２の上面側から挿入して、その配管１１の先端口が裏面ドレンパン２５の直上に位置するように固定する。
【００２２】
また、第３の接続方法は、図２(a)に示すように、除湿機１からの配管１３を前面ドレンパン２３の図中左側のドレンプラグ２３aに接続する。
【００２３】
また、第４の接続方法は、図２(b)に示すように、除湿機１からの配管１４を前面ドレンパン２３の図２(a)中右側のドレンプラグ２３b側に接続する。上記ドレンプラグ２３bにドレンホース４の一端が接続されている。
【００２４】
上記構成の除湿機の排水システムによれば、除湿機１のドレンパンと空気調和機２のドレンパンを接続する配管１１,１２,１３または１４のいずれか１つを介して除湿機１のドレン水を空気調和機２のドレンパンに排出ことによって、空気調和機２のドレンパンを経由して室外に排水されるので、水タンクを用いたり配水管を通すための排気穴を設けたりすることなく排水処理を行うことができ、連続して除湿運転を行うことができる。
【００２５】
また、図３(a)は上記空気調和機２の要部を側面から見た図であり、図３(b)は上記空気調和機２の要部を上面から見た図である。図３(a),(b)に示すように、図２(a),(b)における配管１１の固定方法は、裏面パネル２０の前面側に固定された保持部３０の凹部３０aに配管１１を挟み込んで固定している。上記配管１１の先端口から滴下した除湿機１(図１に示す)のドレン水を、背面ドレンパン２４により受ける。
【００２６】
また、図４(a)は上記空気調和機の要部を側面から見た図であり、図４(b)は上記空気調和機の要部を上面から見た図である。図４(a),(b)に示すように、図２(b)における配管１２の固定方法は、裏面パネル２０の裏面側に固定された保持部４０により、配管１２を保持部４０の凹部に挟み込んで固定している。上記配管１２の先端口から滴下した除湿機１(図１に示す)のドレン水を、裏面ドレンパン２５により受ける。
【００２７】
また、図５は上記空気調和機のドレンパンの配管接続を説明するときの図であり、図５(a)は背面側からみた前面熱交換器２１と前面ドレンパン２３の図であり、図５(b)は加湿機からの配管５０が接続されるドレンプラグ２３a側を側方かつ外側に向かって(図５(a)の右側から左方向に向かって)見た図であり、図５(b)はドレンホース５２が接続されるドレンプラグ２３b側を側方かつ外側に向かって(図５(a)の左側から右方向に向かって)見た図である。
【００２８】
図５(b)に示すように、図２(a)における配管１３の固定方法は、ゴムパッキン付の直管部５１aとその直管部５１aの先端から逆Ｕ字形状に屈曲した先端部５１bとを有する接続管５１を用いる。この接続管５１のゴムパッキン付の直管部５１aを前面ドレンパン２３のドレンプラグ２３aのドレンパン２３本体側から挿入し、ドレンプラグ２３aの先端から突出したゴムパッキン付の直管部５１aに、配管１３を接続している。上記接続管５１の逆Ｕ字形状に屈曲した先端部５１bの最も高い部分が、前面ドレンパン２３の満水時の水位よりも高い位置にすることによって、前面ドレンパン２３に溜まった水が接続管５１側に逆流するのを防止している。
【００２９】
また、図５(c)に示すように、図２(b)における配管１４の固定方法は、前面ドレンパン２３のドレンプラグ２３bにドレンホース４の一端を接続するための接続部５２を用いている。この接続部５２に配管１４の一端を接続している。
【００３０】
このように、前面ドレンパン２３のドレン排水用に使われていないドレンプラグ２３bから除湿機１のドレン水を導くことにより、空気調和機２の構造を変更することなく、除湿機１のドレンパンと空気調和機２の前面ドレンパン２３との配管接続が容易に行える。
【００３１】
また、上記除湿機１のドレンパン５内のドレン水を排水ポンプ６により排水することによって、除湿機のドレンパンが空気調和機のドレンパンよりも低くなるような設置場所であっても、排水処理が可能となり、除湿機の設置場所の自由度を向上できる。
【００３２】
上記実施の形態では、除湿機１により生じたドレン水を排水ポンプ６用いて配管３を介して空気調和機２に排出したが、除湿機１のドレンパンを空気調和機２のドレンパン(少なくともドレンホース２の入口の高さ)よりも高い位置に設置することによって、ポンプを用いることなく、除湿機から空気調和機に除湿により生じたドレン水を排水してもよい。
【図面の簡単な説明】
【００３３】
【図１】図１はこの発明の実施の一形態の除湿機の排水システムの概略を示す模式図である。
【図２】図２は上記除湿機の排水システムの空気調和機の構成を示す模式図である。
【図３】図３(a)は上記空気調和機の要部を側面から見た図であり、図３(b)は上記空気調和機の要部を上面から見た図である。
【図４】図４(a)は上記空気調和機の要部を側面から見た図であり、図４(b)は上記空気調和機の要部を上面から見た図である。
【図５】図５は上記空気調和機のドレンパンの配管接続を説明するための図である。
【符号の説明】
【００３４】
１…除湿機
２…空気調和機
３,１１〜１４…配管
４…ドレンホース
５…ドレンパン
６…排水ポンプ
１０…壁
２０…裏面パネル
２１…前面熱交換器
２２…背面熱交換器
２３…前面ドレンパン
２４…背面ドレンパン
２５…裏面ドレンパン
３０,４０…保持部
５１…接続管
５２…接続部
【図１】
2005144289.tif 000003
【図２】
2005144289.tif 000004
【図３】
2005144289.tif 000005
【図４】
2005144289.tif 000006
【図５】
2005144289.tif 000007